(57)【要約】【課題】本発明は各種音響機器および情報通信機器に使用されるスピーカに関するものであり、スピーカの低コスト化を目的とする。【解決手段】本発明のスピーカは、プレート２２の中心部以外の位置に突出部２２ａを設けたものである。この構成により、プレート２２を整列梱包すなわちプレート２２の外形を合わせる梱包方法としても、個別片が引っ付くことなく、容易に取り出せる構成とすることができ、生産性向上によるコストダウンを実現することができる。【選択図】　図１
2004088296.tif 000002
【特許請求の範囲】
【請求項１】
マグネットとプレートとヨークにより構成した磁気回路と、この磁気回路に結合されたフレームと、このフレームに結合されたダイアフラムと、このダイアフラムに結合されるとともに、その一部が前記磁気回路の磁気ギャップに配置されたボイスコイルとからなるスピーカであって、前記プレートはその中心部以外の位置に突出部を有するスピーカ。
【請求項２】
マグネットとプレートとヨークにより構成した磁気回路と、この磁気回路に結合されたフレームと、このフレームに結合されたダイアフラムと、このダイアフラムに結合されるとともに、その一部が前記磁気回路の磁気ギャップに配置されたボイスコイルとからなるスピーカであって、前記プレートはその中心部と中心部以外の位置に突出部を有するスピーカ。
【発明の詳細な説明】
【０００１】
【発明の属する技術分野】
本発明は各種音響機器および情報通信機器に使用されるスピーカに関するものである。
【０００２】
【従来の技術】
従来のスピーカについて図７から図９により説明する。
【０００３】
図７は従来のスピーカの断面図を、図８は従来のプレートの斜視図を、図９は従来のプレートの梱包状態の断面図を示したものである。
【０００４】
図７によると、着磁されたマグネット１を、中心部に突出部２ａを有したプレート２およびヨーク３により挟み込んで内磁型の磁気回路４を構成していた。この磁気回路４のヨーク３にフレーム６を結合し、このフレーム６の内周縁部にダイアフラム７を接着していた。そして、このダイアフラム７に結合されたボイスコイル８を、上記磁気回路４の磁気ギャップ５にはまり込むように結合していた。
【０００５】
上述のプレート２の輸送および納入状態は、図９に示すように、輸送才数削減目的のため、通常整列梱包された状態でトレー１１に挿入して、これを袋１２に入れて納入される。
【０００６】
【発明が解決しようとする課題】
上述のスピーカは、輸送才数削減目的のため図９のごとく整列梱包された状態から個別片を容易に取り出せるようにプレート２の中心部に突出部２ａを設け、プレート２どうしが引っ付くことのないようにしていた。
【０００７】
ところが、この個別片を容易に取り出せるように設けた突出部２ａの反対面にはへこみが発生しており、このへこみに、隣接するプレートの突出部２ａが嵌合し、引っ付いてしまい、取り出しが困難になることがある。
【０００８】
本発明は、上記課題を解決するもので、プレートを整列梱包しても個別片を容易に取り出せる構成として、生産性向上によるコストダウンを図ることを目的とするものである。
【０００９】
【課題を解決するための手段】
上記課題を解決するために、本発明は以下の構成を有する。
【００１０】
本発明の請求項１に記載の発明は、プレートの中心部以外の位置に突出部を設けたものである。この構成により、プレートを整列梱包すなわちプレートの外形を合わせる梱包方法としても、個別片を容易に取り出せる構成とすることができ、生産性向上によるコストダウンを実現することができる。
【００１１】
本発明の請求項２に記載の発明は、プレートの中心部と中心部以外の位置に突出部を設けたものである。この構成により、プレートを整列梱包しやすくしながら、個別片を容易に取り出せる構成とすることができ、より生産性を大きく向上させることによるコストダウンを実現することができる。
【００１２】
【発明の実施の形態】
以下、本発明の実施の形態について図面を用いて説明する。
【００１３】
（実施の形態１）
以下、実施の形態１を用いて、本発明の特に請求項１に記載の発明について図１から図３により説明する。
【００１４】
図１は、本発明の一実施形態のスピーカの断面図を、図２は本発明のプレートの斜視図を、図３はプレートの梱包状態の断面図を示したものである。
【００１５】
図１の着磁されたマグネット２１は、図２に示すように中心部以外の位置に突出部２２ａを有したプレート２２および図１のヨーク２３により挟み込んで内磁型の磁気回路２４を構成している。この磁気回路２４のヨーク２３にフレーム２６を結合し、このフレーム２６の内周縁部に円板状のダイアフラム２７を接着している。そして、このダイアフラム２７に結合された円筒状のボイスコイル２８を、上記磁気回路２４の磁気ギャップ２５にはまり込むように結合している。
【００１６】
上述の中心部以外の位置に突出部２２ａを有したプレート２２の輸送および納入状態は、図３の梱包状態の断面図に示すように、輸送才数削減目的のため、通常整列梱包された状態でトレー３１に挿入して、これを袋３２に入れて納入される。
【００１７】
この構成により、プレート２２を整列梱包すなわちプレート２２の外形を合わせる梱包方法としても、プレート２２どうしが引っ付くことなく、個別片を容易に取り出すことができ、生産性向上によるコストダウンを実現することができる。
【００１８】
（実施の形態２）
以下、実施の形態２を用いて、本発明の特に請求項２に記載の発明について図４から図６により説明する。
【００１９】
図４は、本発明の実施形態２のスピーカの断面図を、図５は本発明のプレートの斜視図を、図６は従来のプレートの梱包状態の断面図を示したものである。
【００２０】
図４の着磁されたマグネット２１は、図５に示すように中心部と中心部以外の位置に突出部２２ｂと２２ｃを有したプレート２２Ａおよび図４のヨーク２３により挟み込んで内磁型の磁気回路２４を構成している。この磁気回路２４のヨーク２３にフレーム２６を結合し、このフレーム２６の内周縁部に円板状のダイアフラム２７を接着している。そして、このダイアフラム２７に結合された円筒状のボイスコイル２８を、上記磁気回路２４の磁気ギャップ２５にはまり込むように結合している。
【００２１】
上述の中心部と中心部以外の位置に突出部２２ｂと２２ｃを有したプレート２２Ａの輸送および納入状態は、図６の梱包状態の断面図に示すように、輸送才数削減目的のため、通常整列梱包された状態でトレー３１に挿入して、これを袋３２に入れて納入される。
【００２２】
この構成により、プレート２２Ａを整列梱包しやすくしながら、突出部２２ｃにより個別片を容易に取り出せる構成とすることができ、より生産性を大きく向上させることによるコストダウンを実現することができる。
【００２３】
【発明の効果】
以上のように、本発明のスピーカは、プレートの中心部以外の位置に突出部を設けたものである。この構成により、プレートを整列梱包すなわちプレートの外形を合わせる梱包方法としても、個別片が引っ付くことなく、容易に取り出せる構成とすることができ、生産性向上によるコストダウンを実現することができる。
【図面の簡単な説明】
【図１】本発明の一実施の形態におけるスピーカの断面図
【図２】本発明の一実施の形態におけるプレートの斜視図
【図３】本発明の一実施の形態におけるプレートの梱包状態を示す断面図
【図４】本発明の別の実施の形態におけるスピーカの断面図
【図５】本発明の別の実施の形態におけるプレートの斜視図
【図６】本発明の別の実施の形態におけるプレートの梱包状態を示す断面図
【図７】従来の形態におけるスピーカの断面図
【図８】従来の形態におけるプレートの斜視図
【図９】従来の形態におけるプレートの梱包状態を示す断面図
【符号の説明】
２１　マグネット
２２　プレート
２２Ａ　プレート
２２ａ　突出部
２２ｂ　突出部
２２ｃ　突出部
２３　ヨーク
２４　磁気回路
２５　磁気ギャップ
２６　フレーム
２７　ダイアフラム
２８　ボイスコイル
【図１】
2004088296.tif 000003
【図２】
2004088296.tif 000004
【図３】
2004088296.tif 000005
【図４】
2004088296.tif 000006
【図５】
2004088296.tif 000007
【図６】
2004088296.tif 000008
【図７】
2004088296.tif 000009
【図８】
2004088296.tif 000010
【図９】
2004088296.tif 000011